(57)【要約】【課題】【解決手段】大気の湿気を水に変えるコンデンサー（１）により生成された水の量を測定するための装置（２）と、好ましくはタブレット（Ｐ）状の塩及びミネラル物質を含む調整組成物のフィーダー（４）とを備え、このフィーダーは測定された水の量に比例して少なくとも１つのタブレットを投与し、測定された水と前記フィーダー（４）により供給された少なくとも１つのタブレット（Ｐ）とを受ける混合容器（５）と、測定され、受ける水の量に比例してフィーダー（４）を動作させる制御及びコマンドユニット（６）と、微生物及びバクテリアをろ過するための手段（７０）を備えた水を収集及びろ過するためのタンク（７）と、飲料水を排出するためのバルブ（８１）とを有する環境調整機若しくは除湿機又は除湿プラントにより生成される水を調整する装置。
2005512776.tif 000002
【特許請求の範囲】
【請求項１】
大気の湿気を水に変えるためのコンデンサー（１）を備えた環境調整若しくは除湿機又は除湿プラントにより生成された水を調整するための装置において、
前記コンデンサー（１）により生成されて、コンベヤ（３）へ注がれる水の量を測定するための装置（２）と、
前記測定装置（２）により測定され、到達した予め設定された水量に比例して、塩及びミネラルを含む調整組成物の所定量を投与するためのフィーダー（４）と、
前記測定装置（２）により測定されて、前記コンベヤ（３）を通った水と、フィーダー（４）により供給された所定量の塩及びミネラルを含む調整組成物とを受ける混合容器（５）と、
飲料水の排出のためのバルブ（８１）の上流でこのバルブと連通し、バクテリア及び微生物を捕らえるろ過手段（７０）を備え、溶かされた前記塩及びミネラルを含む調整組成物で処理された水を収集及びろ過するためのタンク（７）と、
前記コンデンサーの動作状態の時、前記測定装置（２）により測定された水の量に比例して所定の調整組成物を投与するようにフィーダー（４）を動作させる制御及びコマンドユニット（６）とを具備し、
このユニットはさらに、少なくともフィーダー（４）の動作に対して収集及びろ過タンク（７）の水位をチェックし、アラームシグナルを与えることを特徴とする装置。
【請求項２】
前記塩及びミネラルを含む調整組成物は、水に溶けると、飲料可能な水の正確なミネラル調整を果たすように投与される錯塩、酸及び他の無機物を含むことを特徴とする請求項１の装置。
【請求項３】
前記塩及びミネラル物質を含む調整組成物は、さらに殺菌物質を含むことを特徴とする請求項１の装置。
【請求項４】
前記塩及びミネラル物質を含む調整組成物は、液体状で供給されることを特徴とする請求項１の装置。
【請求項５】
前記塩及びミネラル物質を含む調整組成物は、溶解可能な固体状で供給されることを特徴とする請求項１の装置。
【請求項６】
前記塩及びミネラル物質が、タブレット（Ｐ）状で供給されることを特徴とする請求項５の装置。
【請求項７】
前記コンデンサー（１）により生成された水を測定するための前記装置（２）は、
生成される水の前記コンベヤ（３）上方に設けられたフレーム（２３）に、回動スピンドル２２によって、回動可能に装着されている、水を収集するための半管状の回動部材（２１）を有しており、
この半管状の回動部材（２１）は、２つの対向チャンバ（２７、２７）へとバッフルプレート（２６）により横軸方向に内側で分離され、前記コンデンサー（１）により生成され、コンデンサーのノズル（１０）を介する水により、時間に応じて交互に満たされ、測定された所定の水を重力及び交互の回動で前記コンベア（３）へ注ぐことを特徴とする請求項１の装置。
【請求項８】
前記タブレット（Ｐ）用のフィーダー（４）は、コンテナのベース（４５）に回転ドーム（４７）を有する、タブレットのためのコンテナを備え、
この回転ドーム（４７）は、この回転ドーム（４７）の外側面（４９）と、前記コンテナの内面（４３）との間に、所定形状の隙間を形成し、
この隙間は、タブレット（Ｐ）を垂直に配置させることが可能であり、また、
前記ドーム（４７）は、これのベースに、ステップ状の突起（４７０）を有し、
これら突起（４７０）は、１つづつのタブレット（Ｐ）を受けるために、複数の周方向に等距離のシート（４７１）により分離され、
１つのタブレット（Ｐ）が、前記ベース（４５）に形成された貫通開口（４５０）に対応して通過し、
各貫通開口（４５０）は、前記回転ドーム（４７）の各回転で時間に応じて１つのタブレット（Ｐ）の通過を可能にするような停止キャップ（４５１）を備え、
この停止キャップ（４５１）は、前記貫通開口（４５０）を備えたシート（４７１）と連通し、
この貫通開口（４５０）は、タブレット（Ｐ）と測定された水を混ぜるための前記容器（５）に、アドバンスメントチューブ（９）で連通していることを特徴とする請求項１もしくは６の装置。
【請求項９】
前記収集及びろ過タンク（７）は、前記制御及びコマンドユニット（６）により指令され、水を撹拌させるための手段（６３）を備えていることを特徴とする請求項１の装置。
【請求項１０】
前記水をろ過するための手段（７０）は、飲料水の分配のためのバルブ（８１）の上流でこのバルブと連通している少なくとも１つの浸水フィルター（７１）により構成されていることを特徴とする請求項１の装置。
【請求項１１】
前記フィルター（７１）は、水の中に存在している微生物及びバクテリアを捕らえるような多孔性を有した殺菌フィルターにより構成されていることを特徴とする請求項１０の装置。
【請求項１２】
前記収集及びろ過タンク（７）は、バルブ（８１）を介して、飲料水を、ストア及び分配するためのコンテナに与え、このコンテナから水は、蛇口（８２）を通って流されることを特徴とする請求項１の装置。
【発明の詳細な説明】
【技術分野】
【０００１】
本発明は、空気調整若しくは除湿機又は除湿プラントにより生成される水を調整するため、ほぼ連続及び自動の動作を有する装置に関する。
【背景技術】
【０００２】
世界の多くの地域で、飲料水を獲得する課題は、解決することが非常に困難な課題である。
海水を蒸留し、調整するため及び使用された水を処理し、リサイクルするためのシステムとプロセスとに加え、調整プラント又は環境除湿機により生成される水を取り戻し、調整し、再使用する可能性にも向けられている。
【発明の開示】
【発明が解決しようとする課題】
【０００３】
この課題は、大気中の湿度をなしている水の粒子の獲得を通して従来技術によりすでに直面している。
例えば、米国特許第３，０３５，４１８号、４，２５５，９３８号、５，２５９，２０３号、５，５１７，８２９号、５，５３，４５９号、６，０２９，４６１号、６，１８２，４５３号は、人が消費するためにも大気から水を分離させ、水をストアする除湿機を開示している。これら除湿機は、水の生成に最大限の効果を有するようデザインされている。これら除湿機により生成された水を処理するためのサイクルは、紫外線をもとにして水を殺菌する工程も備えている。この殺菌システムは、飲料水を獲得するために、必ずしも効果的なわけではない。
【０００４】
また、よく知られているように、例えば、米国特許第６，３０３，０３９号は、殺菌物質を水に溶かすことで、環境に害を与えないような調整機及び除湿機により生成された淀んだ水を処理する発明である。栄養補給及び家庭で使用するために、水は、殺菌の必要性だけでなく、飲料可能なように化学、身体、味覚的な必要性も満たされなければならない。これゆえ、飲料可能に水を調整するためには、２つのタイプの介入、浄化と収集とが必要である。凝結及び大気の除湿の処理で得られた水は、底土から注出した水又は表面の水の場合に代わって、たいてい、病原性の細菌、例えば、糞の汚染による細菌は含まれていない。しかし、一方で、前記処理された水は、適切な化学物質-味覚のバランスのために必要なミネラルの無機物質をかなり欠いている。
【０００５】
まだ十分に対処されていない課題は、これゆえ、飲料可能かくして味覚的に受容できる状態を達するために、ミネラル物質の含有量の受容可能な平均水準を回復するための水を収集する処理を提供することである。
本発明の目的は、水の優れた生成を成し遂げるために、上述したように、効果的に作られた除湿機により生成される水を連続的に収集し、またこの生成される水を人が消費可能なように、人の環境に快適な状況を作り出すために主にデザインされた大気調整機により生成される水をほぼ自動的に浄化することを保障する。
【課題を解決するための手段】
【０００６】
本発明の主な目的は、水の凝結の直後に水を収集するための処理を提供し、そして、コンテナ内の淀んだ貯水を避け又は水が汚染されるかもしれない危険のある開いたタンクを避け、消費のために水をすぐに利用可能にさせることである。
本発明は、上記の請求項に特徴付けられているように、大気中の湿気を水に変えるための調整機を含む調整又は環境除湿機により生成される水を調整するための装置を提供する課題を解決している。本発明は、一般的見地からすると、
前記コンデンサーにより生成され及びコンベヤへ注がれる水の量を測定するための装置と、
前記測定装置により測定され、到達した予め設定された水量に比例して、塩及びミネラルを含む調整組成物の所定量を投与するためのフィーダーと、
前記測定装置により測定され、前記コンベヤを通って到達する水と、フィーダーにより供給された所定量の塩及びミネラル物質を含む調整組成物とを受ける混合容器と、
飲料水の排出のためのバルブの上流でこのバルブと連通し、バクテリア及び微生物を処理するためのろ過手段を備え、溶かされた前記塩及びミネラルを含む調整組成物で処理された水を収集及びろ過するためのタンクと、
前記コンデンサー動作状態の時、前記測定装置により測定された水の量に比例して所定の調整組成物を投与するようにフィーダーを動作させる制御及びコマンドユニットとを有し、
このユニットはまた、少なくともフィーダーの動作に対して収集及びろ過タンクの水位をチェックし、アラームシグナルを与えることを特徴としている。
【発明を実施するための最良の形態】
【０００７】
本発明に従った、飲料水を生成するプラントの略図をほぼブロックで示している図１において、参照符号１は、大気の湿気を水に変えるためのコンデンサーを示し、参照符号２は、コンデンサー１により生成され、コンベヤ３へ注ぐようになっている水量を測定するための装置を示し、参照符号４は、この測定装置２により測定された水量に予め設定された割合で塩とミネラルとの調整組成物のためのフィーダーを示し、参照符号５は、フィーダー４により供給された調整組成物とコンベヤ３により到達する水とを混ぜるための容器を示し、参照符号６は、測定され、コンベヤ３を通って受け取られた水量に関連してフィーダー４を動作させる制御及びコマンドユニットを示し、参照符号７は、このように処理された水を集め、ろ過するためのタンクを示し、そして、参照符号８は、集積ろ過タンク７と連通した飲料水をストアし、分配するための冷蔵コンテナを示している。
【０００８】
前記コンデンサー１中には、よく知られているように、大気の湿気を凝結することにより水を生成する環境除湿又は調整装置の一部が示されている。さらに詳しく言うと、本発明の目的のために、コンデンサー１、かくして完全な飲料水生成プラントは、危険な化学物質、特に、有毒ガス又は煙霧により汚染されていない環境で機能するようになっている。これらは、除去に比較的複雑な処理を必要とする水に溶かされるように溶解性の危険な化学物質になるかもしれない。
【０００９】
本発明に従った集積ろ過タンク７は、以下に説明されるように変更又は置き換えられた除湿器又はよく知られた家庭用空調装置の凝縮水を集めるための一般的なタンクにより構成可能である。
バルブを有したパイプライン８０と循環可能ポンプ８１とを通って集積ろ過タンク７と連通している飲料水をストアし分配するための冷蔵コンテナ８は、蛇口８２を備えた従来のオフィスウォーターコンテナで良い。このコンテナ８の内側は、グラスＢに水を満たすことが可能なように、一般的な空気フィルター８４を備えたパイプ８３を通って大気と連通していることは明らかである。
【００１０】
本発明の調整装置は、コンデンサー１により上流で形成され、蛇口８２により排出される水を飲料可能にするために提供される。調整される凝結水は、コンデンサー１により生成された水を測定するために装置２により受け取られる。測定装置は、好ましい実施の形態では、図２及び３に詳しく示されており、図２は調整装置の全体的な斜視図で、図３は測定装置の分解斜視図である。
【００１１】
前記塩及びミネラルの調整組成物は、測定装置２により測定された水量に予め設定された割合で混合されるように、水に溶けると飲料可能な水質を最新基準及び資料により確立された割合及び制限で正確なミネラル調整を水に供給可能である錯塩、酸及び他の無機物を含んでいる。前記調整組成物は、味覚的に許容できる平均割合でカルシウム、ナトリウム、マグネシウム、カリウム、フッ素、鉄等を与えることが可能な例えば、塩、炭酸塩、重炭酸塩、酸を含まなければならない。
【００１２】
この調整組成物は、粒子又はタブレットの溶解可能な固体状もしくは液体状で投与され得る。調整組成物の保存及び安定性の理由と供給及び使用の容易さの理由の両方で、固体のタブレット状が好ましいことが、実験的に明らかにされている。従って、以下の説明では、あらかじめ明らかにされた調整と量とを備えたタブレットの好ましい形態で調整組成物の投与に対して言及している。
【００１３】
図１に示されているように、前記測定装置は、コンデンサー１からの水の排出のために周知のノズル１０の下に備えられている。
コンデンサー１により供給された水は、特に、家庭で使用のためのプラント又は小さな装置で、断続的なしずく又は小さく非連続的な細流としてしばしば分配される。この分配の量はさらに、環境の湿気の状態に左右され、時間、日及び季節ごとに変化しがちである。このため、本発明に従った測定装置は、非連続的な排出で凝結水を遮断し、時間に応じて変化する水量を考慮して水を測定することが可能であるように設けられなければならない。
【００１４】
図２に示されているように、本発明に従った測定装置２は、連通収集及びろ過タンク７と一体化した所定形状の垂直壁２０に装着されていることが有効である。
好ましい実施の形態に従えば、前記コンデンサー１により生成された水を測定するための装置２は、水を集めるための半管状の回動部材２１を好ましくは有している。図３により詳細に示されているように、この半管状の回動部材２１は、両端が開口し、回動スピンドル２２の両端を収容するための対応スロット２４、２４を備えたフレーム２３に、回動スピンドル２２によって、回動可能に装着されている。この回動スピンドル２２は、単一部材で自由に回動するような方法で、半管状の回動部材２１をしっかりと受けるように、好ましくは適した所定形状の角柱ブロック２５にキー接続されている。
【００１５】
生成された水のコンベヤ３上方に設けられている半管状の回動部材２１は、２つの対向チャンバ２７、２７へとバッフルプレート２６により横軸方向に内側で分離されている。参照符号２９は、一例として、前記垂直壁２０に測定装置２を装着するためのブロックを示している。
【００１６】
測定装置２は、この下に吊るされたコンベヤ３の上方に設けられている。このコンベヤ３は、トレイ形状であり、底壁３０と、側壁３１，３１とのエンドフラップ３３，３３を備えた前壁３２及び後壁３２とを有している。壁３４，３４により下方かつ前後に傾いた底壁３０は、以下に説明されるように、半管状の回動部材２１から到達する水の通路のためにホール３５を中心に備えている。このコンベヤ３は、例えば、ブラケット３６により所定形状の壁２０に装着されている。
【００１７】
前記コンデンサー１により生成された水は、測定装置２の半管状の回動部材２１に設けられた２つのチャンバ２７，２７の一方の中へ、ノズル１０を通って雫として排出される。半管状の回動部材２１の回動を生じさせるように、予め設定された制限重量を規定する体積の水で、このチャンバ２７が十分に満たされた時、水は、一方に部材２１を傾け、重力で、下側のコンベヤ３の中に水を収容させ、ノズル１０の下方で安定した状態に２つのチャンバ２７，２７の他方を位置させる。かくしして、回動部材の各回動は、コンデンサーにより生成され予め設定された所定の量を測定する。
【００１８】
図２に示されているように、コンベヤ３の下には、コンベヤ３を通って到達する測定された水と、フィーダー４により供給され、アドバンスメントチューブ９を通る少なくとも１つのタブレットとを混ぜるための容器５が位置されている。このタブレット５（図４及び５）は、例えば、ブラケット４０により所定形状の垂直壁２０に装着されたフィーダー４から重力で到達する。
【００１９】
図４及び５は、タブレットの形状で調整組成物を投与するための好ましい実施の形態に従っており、また本発明に従った調整装置の部分的に分解された斜視図及びフィーダー４の直径での断面図である。タブレットＰのフィーダー４は、好ましい実施の形態では、蓋４２を備えた上側円筒壁４１と、本体４４と一体的な下側円筒部４３と、ベース４５とにより形成された、タブレットのためのコンテナを有している。ベース４５を貫通したシート４６０内に設けられた電気モータ４６により、所定形状のドーム４７が、ベース４５上に回転可能に装着されている。この所定形状のドーム４７は、凸状の上面４８と、ほぼ円筒形の外側面４９とを有している。同心的に回転するように、モータ４６のシャフトに適切に接続されたドーム４７は、外側面４９と、タブレットコンテナの下側円筒部４３の内面との間に、ディメンションを有している。このディメンションは、タブレットＰを垂直だけに位置づけ得るような隙間を有している。貫通開口部４５０は、アタッチメントネック９０により支持されたアドバンスメントチューブ９を介して、タブレットＰを有した測定装置２により測定された水及びタブレットＰを混ぜる容器５と連通している。
【００２０】
前記混合容器５は、タブレットＰが、測定装置２により注がれた水で徐々に溶解される前に通過しないように、タブレットＰの直径より小さいサイズの穴を、好ましくなくは、設けている、中心に凹底を有している。装置の動作は、すでに明らかなように、以下に詳細に説明されている。制御及びコマンドユニット６（図１）は、測定され、コンベヤ３により受けられた所定量の水が達した時に、この所定量に比例してタブレットフィーダー４を電気接続ライン６１により動作し、また測定装置２の回動スピンドル２２上で半管状の部材２１の回動をカウント可能な電気接続ライン６１により動作する。
【００２１】
例えば、集積及びろ過タンク７中へ、凝結水２リットルを注ぐのに対応した半管状の部材２１の回動数がカウントされると、２リットルの水に比例し、投与された調整組成物の１つのタブレットが、落下可能される。このタブレットは、コンベヤ３に排出された追加の水により徐々に溶かされる。
【００２２】
コマンドユニット６は、フィーダー４のコンテナ内のタブレットの存在とタブレットの詰りに対しチェックし、アラームシグナルを与える。このコマンドユニットは、集積及びろ過タンク７内で調整された水を撹拌させるための有効な装置６３にライン６２を介してシグナルを与えて動作させても良い。この撹拌装置６３は、タンク内に収容され、タブレットＰの定期的な溶解により調整された水を混ぜたり均質化する機能を果たす。また、このコマンドユニット６は、概略的に図に示された集積及びろ過タンク７中の水位の連続的な測定も接続ライン６４を介して果たすことが可能である。
【００２３】
さらに、本発明に従えば、集積及びろ過タンク７は、上記で処理した水をろ過するための手段７０を内側に備えており、この手段は、飲料水の分配のためのバルブ８１の上流でこのバルブと連通している２つの浸水された円筒本体７１と共に図で示されている。すでに知られているこのろ過部は、コンデンサー１から排出された水に混入している微生物やバクテリア、また明らかに、水中に存在している懸濁又は微粒子を捕らえるような多孔性を有した殺菌フィルターであり、例えば、好ましくは、珪藻土又はセラミック材の粒子が充填材であるフィルターである。
【００２４】
効果的に、凝結水が、確実にバクテリアが除去された所定の状態に達する必要がある時、固体のタブレット状の調整組成物は、一般的な殺菌剤物質を含むように形成可能である。
従って本発明に従った調整装置の動作は、以下に説明される。所定の水の所定の流量に対応したカウント数になると、コマンドユニット６は、好ましくは、タブレットＰ形状の調整組成物のフィーダー４を動作させ、ドーム４７を回転させる。このようにして、シート４７１に位置された１つのタブレットが、タブレットコンテナのベース４５に形成された貫通開口部４５０に対応するようにされ、そしてこのタブレットＰは、アドバンスメントチューブ９を介して、重力により進み混合容器５に達する。そしてこの混合容器５内で、タブレットは、コンベヤ３から来る水により溶かされる。タブレットから溶けたミネラルによりエンリッチされた凝結水の溶液は、水が排出される収集及びろ過タンク７へと落ち、ここからろ過手段７０を通過して、好ましくは冷蔵貯水及び分配コンテナ８に供給される。
【００２５】
このようにして、ほぼ連続的な自動調整が、コンデンサー１の動作の間、環境除湿及び調整装置により凝結された味覚特有の化学薬品を含んだ水を浄化し、細菌の除去に関して完全な処理を保障している。
もちろん、想定されるような本発明は、請求項により特徴付けられている同じ発明の概念の範囲から逸脱しないで、多くの変更と修正とが可能である。
【図面の簡単な説明】
【００２６】
【図１】本発明に従った調整装置を具体化し、水の分配と大気の湿気から飲料可能な水を生成するためのプラントの概略図を、ほぼブロックで示している。
【図２】図１の調整装置の全体的な斜視図を示している。
【図３】図１の調整装置の関連したコンベヤと生成される水を測定するための装置との拡大斜視図を示している。
【図４】図１の調整装置の、タブレットを収集するフィーダーの部分的な拡大斜視図を示している。
【図５】図４のタブレットを収集するフィーダーの断面図を示している。
【図１】
2005512776.tif 000003
【図２】
2005512776.tif 000004
【図３】
2005512776.tif 000005
【図４】
2005512776.tif 000006
【図５】
2005512776.tif 000007
【手続補正書】
【提出日】平成15年10月20日(2003.10.20)
【手続補正１】
【補正対象書類名】明細書
【補正対象項目名】０００３
【補正方法】変更
【補正の内容】
【０００３】
この課題は、大気中の湿度をなしている水の粒子の獲得を通して従来技術によりすでに直面している。
例えば、米国特許第３，０３５，４１８号、４，２５５，９３８号、５，２５９，２０３号、５，５１７，８２９号、５，５３，４５９号、６，０２９，４６１号、６，１８２，４５３号は、人が消費するためにも大気から水を分離させ、水をストアする除湿機を開示している。これら除湿機は、水の生成に最大限の効果を有するようデザインされている。これら除湿機により生成された水を処理するためのサイクルは、国際公開番号００１４４６４に示された、紫外線をもとにして水を殺菌する工程も備えている。この殺菌システムは、飲料水を獲得するために、必ずしも効果的なわけではない。
【手続補正２】
【補正対象書類名】明細書
【補正対象項目名】０００６
【補正方法】変更
【補正の内容】
【０００６】
本発明の主な目的は、水の凝結の直後に水を収集するための処理を提供し、そして、コンテナ内の淀んだ貯水をさけ又は水が汚染されるかもしれない危険のある開いたタンクを避け、消費のために水をすぐに利用可能にさせることである。
本発明は、請求項１に示されているように、調整又は環境除湿機により生成される水を調整するための装置を提供する課題を解決している。


【手続補正書】
【提出日】平成16年4月1日(2004.4.1)
【手続補正１】
【補正対象書類名】特許請求の範囲
【補正対象項目名】全文
【補正方法】変更
【補正の内容】
【特許請求の範囲】
【請求項１】
大気の湿気を水に変えるためのコンデンサー（１）と、水を収集するためのタンク（７）と、ろ過するための手段（７）と、飲料水の排出のためのバルブ（８１）と、制御及びコマンドユニット（６）とを備えた環境調整若しくは除湿機又は除湿プラントにより生成された水を調整するための装置において、
前記コンデンサー（１）により生成されて、コンベヤ（３）へ注がれる水の量を測定するための装置（２）と、
前記測定装置（２）により測定され、到達した予め設定された水量に比例して、塩及びミネラルを含む調整組成物の所定量を投与するためのフィーダー（４）と、
前記測定装置（２）により測定されて、前記コンベヤ（３）を通った水と、フィーダー（４）により供給された所定量の塩及びミネラルを含む調整組成物とを受ける混合容器（５）とを具備し、
前記タンク（７）は、溶かされた塩及びミネラルを含む前記調整組成物で処理された水を収集するための前記混合容器（５）の下流に位置され、またこのタンク（７）は、バクテリア及び微生物を捕らえるための前記ろ過手段（７０）を備え、
前記制御及びコマンドユニット（６）は、前記コンデンサー（１）の動作状態の時、前記調整組成物が水に溶けると飲料可能な水の調整ミネラル組成物を与えるように、前記測定装置（２）により測定された水の量に比例して所定の調整組成物を投与するようにフィーダー（４）を動作させ、
このユニットはさらに、前記調整組成物が水に溶けると、少なくともフィーダー（４）の動作に対して収集及びろ過タンク（７）の水位をチェックし、アラームシグナルを与えることを特徴とする装置。
【請求項２】
前記塩及びミネラルを含む調整組成物は、さらに殺菌物質を含むことを特徴とする請求項１の装置。
【請求項３】
前記塩及びミネラル物質を含む調整組成物は、液体状で供給されることを特徴とする請求項１の装置。
【請求項４】
前記塩及びミネラル物質を含む調整組成物は、溶解可能な固体状で供給されることを特徴とする請求項１の装置。
【請求項５】
前記塩及びミネラル物質を含む調整組成物は、タブレット（Ｐ）状で供給されることを特徴とする請求項４の装置。
【請求項６】
前記コンデンサー（１）により生成された水を測定するための前記装置（２）は、生成される水の前記コンベヤ（３）上方に設けられたフレーム（２３）に、回動スピンドル２２によって、回動可能に装着されている、水を収集するための半管状の回動部材（２１）を有しており、
この半管状の回動部材（２１）は、２つの対向チャンバ（２７、２７）へとバッフルプレート（２６）により横軸方向に内側で分離され、前記コンデンサー（１）により生成され、コンデンサーのノズル（１０）を介する水により、時間に応じて交互に満たされ、測定された所定の水を重力及び交互の回動で前記コンベア（３）へ注ぐことを特徴とする請求項１の装置。
【請求項７】
前記タブレット（Ｐ）用のフィーダー（４）は、コンテナのベース（４５）に回転ドーム（４７）を有する、タブレットのためのコンテナを備え、
この回転ドーム（４７）は、この回転ドーム（４７）の外側面（４９）と、前記コンテナの内面（４３）との間に、所定形状の隙間を形成し、
この隙間は、タブレット（Ｐ）を垂直に配置させることが可能であり、また、
前記ドーム（４７）は、これのベースに、ステップ状の突起（４７０）を有し、
これら突起（４７０）は、１つづつのタブレット（Ｐ）を受けるために、複数の周方向に等距離のシート（４７１）により分離され、
１つのタブレット（Ｐ）が、前記ベース（４５）に形成された貫通開口（４５０）に対応して通過し、
各貫通開口（４５０）は、前記回転ドーム（４７）の各回転で時間に応じて１つのタブレット（Ｐ）の通過を可能にするような停止キャップ（４５１）を備え、
この停止キャップ（４５１）は、前記貫通開口（４５０）を備えたシート（４７１）と連通し、
この貫通開口（４５０）は、タブレット（Ｐ）と測定された水を混ぜるための前記容器（５）に、アドバンスメントチューブ（９）で連通していることを特徴とする請求項１もしくは５の装置。
【請求項８】
前記収集及びろ過タンク（７）は、前記制御及びコマンドユニット（６）により指令され、水を撹拌させるための手段（６３）を備えていることを特徴とする請求項１の装置。
【請求項９】
前記水をろ過するための手段（７０）は、飲料水の分配のためのバルブ（８１）の上流でこのバルブと連通している少なくとも１つの浸水フィルター（７１）により構成されていることを特徴とする請求項１の装置。
【請求項１０】
前記フィルター（７１）は、水の中に存在している微生物及びバクテリアを捕らえるような多孔性を有した殺菌フィルターにより構成されていることを特徴とする請求項９の装置。
【請求項１１】
前記収集及びろ過タンク（７）は、バルブ（８１）を介して、飲料水を、ストア及び分配するためのコンテナに与え、このコンテナから水は、蛇口（８２）を通って流されることを特徴とする請求項１の装置。
【国際調査報告】
2005512776.tif 000008
2005512776.tif 000009
2005512776.tif 000010